(57)【要約】【課題】  入力画像データに修正処理を施して出力する際に、秘匿領域の一括処理を可能にして、ユーザの作業負担を軽減する。【解決手段】  色分析処理部５１により入力画像データの色分析を行い、データ入力部３２による指定された隠したいデータの色の指定を受け付けて、入力画像データに指定された隠したいデータの色と同じデータ部分のみを透明色に変換する処理を施した修正画像データを修正画像データ作成部５２により作成して出力する。【選択図】        図１
2009075853.tif 000002
【特許請求の範囲】
【請求項１】
入力画像データの色分析を行う色分析処理部と、
隠すデータの色を指定する色指定処理部と、
上記色分析処理部による分析結果及び色指定処理部による色指定結果に基づいて、上記入力画像データに指定された色と同じデータ部分のみを透明色に変換する処理を施した修正画像データを作成して出力する画像修正処理部とを備える
ことを特徴とする画像処理装置。
【請求項２】
入力画像データを読み取る画像読取部を備え、
上記画像読取部により読み取られた入力画像データについて、上記色分析処理部により色分析を行い、上記画像修正処理部により、上記色指定処理部により指定された色と同じデータ部分のみを透明色に変換する処理を施した修正画像データを作成して出力することを特徴とする請求項１に記載の画像処理装置。
【請求項３】
上記画像修正処理部により作成された修正画像データを用紙に印刷する印刷処理部を備えることを特徴とする請求項１又は請求項２に記載の画像処理装置。
【請求項４】
入力画像データに修正処理を施して出力する画像処理装置に備えられたコンピュータにより実行される画像処理プログラムであって、
入力画像データの色分析を行う色分析処理ステップと、
隠すデータの色を指定する色指定処理ステップと、
上記色分析処理ステップでの分析結果及び上記色指定処理ステップでの色指定結果に基づいて、上記入力画像データに指定された色と同じデータ部分のみを透明色に変換する処理を施した修正画像データを作成して出力する画像修正処理ステップとを有する画像処理をコンピュータに実行させる
ことを特徴とする画像処理プログラム。
【請求項５】
入力画像データを読み取る画像読取ステップを有し、
上記画像読取ステップで読み取られた入力画像データについて、上記色分析処理ステップで色分析を行い、上記画像修正処理ステップにおいて、上記色指定処理ステップで指定された色と同じデータ部分のみを透明色に変換する処理を施した修正画像データを作成して出力する画像処理をコンピュータに実行させることを特徴とする請求項４に記載の画像処理プログラム。
【請求項６】
上記画像修正処理ステップで作成された修正画像データを用紙に印刷する印刷処理ステップを有する画像処理をコンピュータに実行させることを特徴とする請求項４又は請求項５に記載の画像処理プログラム。
【発明の詳細な説明】
【技術分野】
【０００１】
本発明は、入力画像データに修正処理を施して出力する画像処理装置及び画像処理プログラムに関する。
【背景技術】
【０００２】
従来より、保険契約書などのハードコピーをデータ保管する際に、住所、電話番号などの顧客の機密情報を隠して保存するケースが多く発生する。このような情報を簡単に隠す為に、印刷媒体上の特定の領域を塗りつぶして、その領域に記載された情報を隠匿する機能を有するプリンタが提供されている（例えば、特許文献１参照）。
【０００３】
【特許文献１】特開２００３−０２５６８４号公報
【発明の開示】
【発明が解決しようとする課題】
【０００４】
ところで、学校におけるテスト問題の回答からテスト問題を作る場合など隠す範囲が多数存在すると塗りつぶし指定操作の回数もそれに伴って多くなりユーザに作業負担がかかってしまう。
【０００５】
そこで、本発明の目的は、上述の如き従来の問題点に鑑み、秘匿領域の一括処理を可能にして、ユーザの作業負担を軽減することのできる画像処理装置及び画像処理プログラムを提供することにある。
【０００６】
本発明の更に他の目的、本発明によって得られる具体的な利点は、以下に説明される実施の形態の説明から一層明らかにされる。
【課題を解決するための手段】
【０００７】
本発明では、色分析機能及び色指定機能を備えることにより、入力画像に対してユーザが色指定した色と同じデータ部分にのみ透明化処理を実行することによって多数の塗りつぶし部分があった場合に一括処理を行う。
【０００８】
すなわち、本発明に係る画像処理装置は、入力画像データの色分析を行う色分析処理部と、隠したいデータの色を指定する色指定処理部と、上記色分析処理部による分析結果及び色指定処理部による色指定結果に基づいて、上記入力画像データに指定された色と同じデータ部分のみを透明色に変換する処理を施した修正画像データを作成して出力する画像修正処理部とを備えることを特徴とする。
【０００９】
本発明に係る画像処理装置は、入力画像データを読み取る画像読取部を備え、上記画像読取部により読み取られた入力画像データについて、上記色分析処理部により色分析を行い、上記画像修正処理部により、上記色指定処理部により指定された色と同じデータ部分のみを透明色に変換する処理を施した修正画像データを作成して出力するものとすることができる。
【００１０】
また、本発明に係る画像処理装置は、上記画像修正処理部により作成された修正画像データを用紙に印刷する印刷処理部を備えるものとすることができる。
【００１１】
本発明は、入力画像データに修正処理を施して出力する画像処理装置に備えられたコンピュータにより実行される画像処理プログラムであって、入力画像データの色分析を行う色分析処理ステップと、隠したいデータの色を指定する色指定処理ステップと、上記色分析処理ステップでの分析結果及び上記色指定処理ステップでの色指定結果に基づいて、上記入力画像データに指定された色と同じデータ部分のみを透明色に変換する処理を施した修正画像データを作成して出力する画像修正処理ステップとを有する画像処理をコンピュータに実行させることを特徴とする。
【００１２】
本発明に係る画像処理プログラムは、入力画像データを読み取る画像読取ステップを有し、上記画像読取ステップで読み取られた入力画像データについて、上記色分析処理ステップで色分析を行い、上記画像修正処理ステップにおいて、上記色指定処理ステップで指定された色と同じデータ部分のみを透明色に変換する処理を施した修正画像データを作成して出力する画像処理をコンピュータに実行させるものとすることができる。
【００１３】
また、本発明に係る画像処理プログラムは、上記画像修正処理ステップで作成された修正画像データを用紙に印刷する印刷処理ステップを有する画像処理をコンピュータに実行させるものとすることができる。
【発明の効果】
【００１４】
本発明によれば、入力画像データに修正処理を施して出力する際に、入力画像データの色分析を行い、隠したいデータの色を指定して、上記入力画像データに指定された色と同じデータ部分のみを透明色に変換する処理を施した修正画像データを作成して出力することにより、秘匿領域の一括処理が可能となり、例えば、ハードコピーをデータ保管する際に、多数の塗りつぶし部分があった場合に一括処理できるので、ユーザの操作負担を軽減することができる。
【発明を実施するための最良の形態】
【００１５】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１６】
本発明は、例えば図１に示すような構成の画像処理装置１０に適用される。
【００１７】
この画像処理装置１０は、コピー、プリント、スキャン、ファクシミリ送信及びファクシミリ受信機能を有する所謂複合機であって、装置全体の動作制御を司るＣＰＵを中心とする制御部１を備え、この制御部１に原稿読取部２、操作表示部３、データ記憶部４、画像処理部５、印刷処理部６等が接続されてなる。
【００１８】
制御部１は、この画像処理装置１０の制御プログラムを記憶するＲＯＭ(Read Only Memory)、一時的にデータを保管するＲＡＭ(Random Access Memory)、更新可能な各種設定データなどを保管するＥＥＰＲＯＭ（Electrically Erasable Programmable ROM）及び制御プログラム等を上記ＲＯＭから読み出して実行するマイクロコンピュータ（ＣＰＵ）等からなり、操作表示部３等により入力された所定の指示情報や、本装置の各所に設けられた各種センサからの検出信号に応じて装置全体の制御を行う。
【００１９】
また、原稿読取部２は、原稿の読み取りを行って当該原稿に対応するカラー画像データを生成するものであって、光学的に取得した原稿の画像から画像データを生成するＣＣＤ(Charge Coupled Device)センサ及び露光ランプ等を備えたスキャナやコンタクトガラス等を有する。原稿読取部２は、コンタクトガラス上に載置された原稿を走査しつつ取得した画像データを制御部１へ出力する。
【００２０】
また、操作表示部３は、ユーザの操作に応じて所定の指示入力を行うものであって、図示しない、ユーザが複写や印刷の実行指示を入力するためのスタートキー、印刷部数等を入力するためのテンキー、各種動作の設定等を入力するための操作ガイド情報等を表示する種々の操作ボタン等が表示される液晶表示器（ＬＣＤ）であり、スキャンした画像データと画像データで使用されている色のリストを表示する為の画像データ表示部３１、ユーザが隠したい色を指定するためのデータ入力部３２を備える。
【００２１】
また、データ記憶部４は、原稿読取部２によって読み取られた原稿の画像データや図示しない外部装置から送信されてきた画像データを一時的に記憶するメモリであり、ユーザ指定色を格納する指定データバッファ４１、原画像を色分析した結果を格納する解析結果バッファ４２、原画像そのもののデータを格納する為の画像データバッファ４３、原画像から指定した色を透明色に変換した画像データを格納する修正データバッファ４４などを備える。
【００２２】
画像処理部５は、印刷データに対する各種画像処理を行うものであって、例えば、印刷データをＲＧＢデータあるいはＣＭＹＫデータに変換する処理や複数の原稿画像を１つの用紙に集約させる画像処理、すなわち、原稿画像の画像サイズを拡大又は縮小する拡大縮小処理や、複数の原稿画像を１つの用紙に配置するレイアウト処理などを行う。また、この画像処理装置１０において、上記画像処理部５は、原稿読取部２によって読み取られた原稿のカラー画像データや通信処理部８等を介して受信したカラー画像データについて色分析処理を行う色分析処理を行う色分析処理部５１と、ユーザ指定色と原画像データから修正画像を作り出す修正画像データ作成部５２を備えている。
【００２３】
また、印刷処理部６は、電子写真式プロセス等の周知の作像プロセスを用いて、各種データを用紙などの記録媒体上に印刷する印刷処理を行うものであって、出力データを受信する出力データ受信部６１、この出力データ受信部６１で受信した出力データした記録媒体上に印刷する印刷処理を実行するプリントエンジン６２等を備えている。
【００２４】
この画像処理装置１０において、制御部１は、マイクロコンピュータ（ＣＰＵ）がＲＯＭから画像処理プログラムを読み出し、図２のフローチャートに示す手順にしたがって実行することにより、次のような画像処理を行う。
【００２５】
ここでは、原画像として既に回答が赤で書かれたテスト用紙から、白紙のテスト用紙を作成、出力する画像処理を行うものとする。
【００２６】
先ず、制御部１は、原稿読取部２によって図３の（Ａ）に示すように原画像として既に回答が赤（図中、白抜き文字）で書かれたテスト用紙２０を原画像として読み取る画像読み取り処理を行い、得られた原画像データを入力画像データとしてデータ記憶部４の画像データバッファ４３に格納する（ステップＳ１）。
【００２７】
次に、制御部１は、上記画像データバッファ４３に格納された入力画像データについて画像処理部５の色分析処理部５１により色分析処理を行い、上記入力画像データから画像の全ピクセルを調べて使用されているカラーリストをデータ記憶部４の解析結果バッファ４２に格納する（ステップＳ２）。
【００２８】
次に、制御部１は、上記ステップＳ１の画像読み取り処理で上記画像データバッファ４３に格納した原画像データと上記ステップＳ２の色分析処理で解析して上記解析結果バッファ４２に格納したカラーリストを操作表示部３に送信し、操作表示部３の画像データ表示部３１に表示する（ステップＳ３）。
【００２９】
次に、制御部１は、操作表示部３のデータ入力部３２からの入力を受け付けることにより、隠したいデータの色を指定する色指定処理を行い、指定された色データを指定データバッファ４２に格納する（ステップＳ４）。
【００３０】
ここでは、画像データ表示部３１に表示されたカラーリストである黒と赤から隠したい色として赤がユーザにより選択されたものとし、また、背景色を白と仮定する。
【００３１】
このステップＳ４の色指定処理により、指定された赤（ＲＧＢ＝２５５，０，０）データが指定データバッファ４２に格納される。
【００３２】
次に、制御部１は、画像処理部５の修正画像データ作成部５２により、上記ステップＳ２の色分析処理での分析結果及び上記ステップＳ４の色指定処理での色指定結果に基づいて、上記ステップＳ１の画像読み取り処理で上記画像データバッファ４３に格納されている入力画像データについて、上記ステップＳ４の色指定処理により上記指定データバッファ４１に格納された色データすなわち赤（ＲＧＢ＝２５５，０，０）データと同じかどうかを全ピクセル比較し、上記入力画像データの指定された色と同じデータ部分のみを透明色に変換する処理を施した修正画像データを作成してデータ記憶部４の修正データバッファ４４に格納する画像修正処理を行う(ステップＳ５)。
【００３３】
その後、制御部１は、上記修正データバッファ４４から印刷処理部６の出力データ受信部６１に修正データを送信し、プリントエンジン６２により修正画像データを用紙に印刷するテスト用紙３０を作成する印刷処理を行う(ステップＳ６)。
【００３４】
この画像処理装置１０では、このような画像処理を行うことにより、図３の（Ａ）に示すように原画像として既に回答が赤で書かれたテスト用紙２０から、図３の（Ｂ）に示すように白紙のテスト用紙３０を作成、出力することができる。
【００３５】
すなわち、この画像処理装置１０では、入力画像データに修正処理を施して出力する際に、色分析処理部５１により入力画像データの色分析を行い、データ入力部３２による指定された隠したいデータの色の指定を受け付けて、修正画像データ作成部５２により、上記入力画像データに指定された色と同じデータ部分のみを透明色に変換する処理を施した修正画像データを作成して出力することにより、秘匿領域の一括処理が可能となり、例えば、ハードコピーをデータ保管する際に、多数の秘匿領域があった場合に一括処理できるので、ユーザの操作負担を軽減することができる。
【００３６】
なお、この画像処理装置１０では、原稿読取部２によって読み取った入力画像データについて色分析を行い、指定された色と同じデータ部分のみを透明色に変換する処理を施した修正画像データを作成するものとしたが、外部から通信機能などによって送られてくる印刷用のテキストデータや画像データについて色分析処理部５１により色分析を行い、修正画像データ作成部５２により、指定された色と同じデータ部分のみを透明色に変換する処理を施した修正画像データを作成することもできる。
【００３７】
また、この画像処理装置１０では、テスト用紙等の印刷を行うものとしたが、本発明は、資料の閲覧に用いる表示装置等にも適用可能である。
【図面の簡単な説明】
【００３８】
【図１】本発明を適用した画像処理装置の構成を示すブロック図である。
【図２】上記画像処理装置による印刷処理の制御手順を示すフローチャートである。
【図３】上記画像処理装置における処理結果の一例を示す図である。
【符号の説明】
【００３９】
１  制御部、
２  原稿読取部、
３  操作表示部、
４  データ記憶部、
５  画像処理部、
６  印刷処理部、
１０  画像処理装置、
３１  画像データ表示部、
３２  データ入力部、
４１  指定データバッファ、
４２  解析結果バッファ、
４３  画像データバッファ、
４４  修正データバッファ、
５１  色分析処理部、
５２  修正画像データ作成部、
【図１】
2009075853.tif 000003
【図２】
2009075853.tif 000004
【図３】
2009075853.tif 000005